(57)【特許請求の範囲】
【請求項１】
前端側が開口し後端側が端壁により閉塞されたほぼ筒状の接続部を有する雄ハウジングの前記端壁に複数の雄端子金具を上下複数段状に挿通してなる雄コネクタと、前記雄ハウジングの前記接続部に嵌合する雌ハウジングに前記各雄端子金具に対応する複数の雌端子金具を収容してなる雌コネクタと、の接続に係るコネクタの接続構造であって、
前記雄コネクタは、前記雄ハウジングの端壁の内側面に前記各雄端子金具の挿通方向に沿って突設され、幅方向に凹部と凸部とが連続して形成されたリブを備える一方、
前記雌コネクタは、
前記雌ハウジングの前端面側から前記雌端子金具の挿入方向に沿って穿設され、前記リブを受容するリブ受容孔と、
前記各雌端子金具が収容された状態で前記雌ハウジングの上下方向に沿って穿設されたリテーナ挿入孔内に挿入され、前記各雌端子金具の外側部に設けられた突起部と係止することで該各雌端子金具の後退移動を規制する複数の保持片部を並列配置してなるリテーナ部材と、
を備え、
前記雄コネクタと前記雌コネクタとが嵌合接続されると、前記リブが前記リブ受容孔に受容されると共に、前記リテーナ部材の前記各保持片部が前記リブの前記各凹部に受容され前記各凸部が前記各保持片部の間に介挿されることで、該各保持片部の幅方向移動を規制することを特徴とするコネクタの接続構造。
【請求項２】
前記各凸部の幅方向一側部が隣接する一方側の前記各保持片部に当接することで該各保持片部の他方側の移動が規制されると共に、
前記各凸部の幅方向他側部が隣接する他方側の前記各保持片部に当接することで該各保持片部の一方側の移動が規制されることを特徴とする請求項１に記載のコネクタの接続構造。
【発明の詳細な説明】
【技術分野】
【０００１】
本発明は、例えば自動車に配設するワイヤハーネス等の接続に用いられるコネクタの接続構造に関する。
【背景技術】
【０００２】
従来のコネクタの接続構造としては、以下の特許文献１に記載されているものが知られている。
【０００３】
すなわち、このコネクタの接続構造に係る雌コネクタ１００としては、図１５に示すように、ほぼボックス状の雌ハウジング１０１に複数の端子収容孔１０２が貫通形成され、該各端子収容孔１０２の内部にそれぞれ角筒状の雌端子金具１０３が収容保持されることによって構成される。
【０００４】
そして、上記雌端子金具１０３の保持手段として、前記雌コネクタ１００では、前記各端子収容孔１０２の内部に撓み変形可能に設けられた図示外のランスを前記各雌端子金具１０３の外側部と係止させることによる第１次的な係止手段と、前記各端子収容孔１０２の側部に臨む複数のリテーナ挿入孔１０５にリテーナ部材１０６の有するほぼ櫛刃状の複数の保持片部１０７を嵌挿して前記各雌端子金具１０３の外側部に係止させることによる第２次的な係止手段と、を備える。
【先行技術文献】
【特許文献】
【０００５】
【特許文献１】特開平１０−２４１７７３号公報
【発明の概要】
【発明が解決しようとする課題】
【０００６】
しかしながら、前記従来のリテーナ部材１０６では、各保持片部１０７が前記複数の雌端子金具１０３を係止保持する構成となっていることから、該各保持片部１０７が細い長尺状に形成されることとなる。そのため、これら各保持片部１０７は、比較的剛性が低く、撓み変形し易いものとなっており、前記各雌端子金具１０３を十分に係止保持できないおそれがあった。
【０００７】
本発明は、前記従来の技術的課題に鑑みて案出されたもので、雌コネクタのリテーナ部材の保持片部による雌端子金具の良好な係止保持を実現し得るコネクタの接続構造を提供することを目的としている。
【課題を解決するための手段】
【０００８】
本発明は、前端側が開口し後端側が端壁により閉塞されたほぼ筒状の接続部を有する雄ハウジングの前記端壁に複数の雄端子金具を上下複数段状に挿通してなる雄コネクタと、前記雄ハウジングの前記接続部に嵌合する雌ハウジングに前記各雄端子金具に対応する複数の雌端子金具を収容してなる雌コネクタと、の接続に係るコネクタの接続構造であって、前記雄コネクタは、前記雄ハウジングの端壁の内側面に前記各雄端子金具の挿通方向に沿って突設され、幅方向に凹部と凸部とが連続して形成されたリブを備える一方、前記雌コネクタは、前記雌ハウジングの前端面側から前記雌端子金具の挿入方向に沿って穿設され、前記リブを受容するリブ受容孔と、前記各雌端子金具が収容された状態で前記雌ハウジングの上下方向に沿って穿設されたリテーナ挿入孔内に挿入され、前記各雌端子金具の外側部に設けられた突起部と係止することで該各雌端子金具の後退移動を規制する複数の保持片部を並列配置してなるリテーナと、を備え、前記雄コネクタと前記雌コネクタとが嵌合接続されると、前記リブが前記リブ受容孔に受容されると共に、前記リテーナの前記各保持片部が前記リブの前記各凹部に受容され前記各凸部が前記各保持片部の間に介挿されることで、該各保持片部の幅方向移動を規制することを特徴としている。
【０００９】
このように、雄コネクタと雌コネクタの嵌合接続時に、リテーナの各保持片部をリブの各凹部に受容させ、該各保持片部間にリブの各凸部を介挿して該各保持片部の幅方向移動を規制することによって、該各保持片部の幅方向の撓み変形（傾倒）を抑制することができる。
【００１０】
ここで、本発明の好ましい一の態様として、前記各凸部の幅方向一側部が隣接する一方側の前記各保持片部に当接することで該各保持片部の他方側の移動が規制されると共に、前記各凸部の幅方向他側部が隣接する他方側の前記各保持片部に当接することで該各保持片部の一方側の移動が規制されることが望ましい。
【００１１】
このように、前記各凸部の両側部（幅方向一側部及び他側部）をそれぞれ隣接する各保持片部と当接させることで、該各保持片部の幅方向移動をより効果的に抑制し、該各保持片部による前記各雌端子金具の係止保持力のさらなる向上に供される。
【発明の効果】
【００１２】
本発明によれば、リテーナの各保持片部の撓み変形（傾倒）が抑制される結果、該保持片部による雌端子金具の係止保持力の向上が図れ、該保持片部による雌端子金具の良好な係止保持を実現することができる。
【図面の簡単な説明】
【００１３】
【図１】本発明に係るコネクタの接続構造の分解断面図である。
【図２】図１に示す雄コネクタの前方から見た斜視図である。
【図３】図２の要部拡大図である。
【図４】図１に示す雌コネクタの前方から見た斜視図である。
【図５】図１に示す雌コネクタの後方から見た斜視図である。
【図６】図４の要部断面図である。
【図７】図６のＡ−Ａ線に沿う断面斜視図である。
【図８】図７のＤ方向から見た矢視図である。
【図９】図６のＢ−Ｂ線に沿う断面斜視図である。
【図１０】図９のＥ方向から見た矢視図である。
【図１１】図６のＣ−Ｃ線に沿う断面斜視図である。
【図１２】図１１のＦ方向から見た矢視図である。
【図１３】図５に示すリテーナ部材の斜視図である。
【図１４】雄雌コネクタの接続状態における端子保護リブとリテーナ部材との関係を表した図８のＧ−Ｇ線に沿う要部拡大断面図である。
【図１５】従来のコネクタの接続構造に係る雌コネクタの縦断面図である。
【発明を実施するための形態】
【００１４】
以下、本発明に係るコネクタの接続構造の実施形態を図面に基づいて説明する。なお、下記実施形態では、当該コネクタの接続構造を、自動車の電気機器類の接続に供するワイヤハーネス接続用コネクタに適用したものである。また、以下の説明では、便宜上、図１中のＸ軸方向を前後方向（各コネクタ１０，２０の対向する側を前）と、Ｙ軸方向を上下方向（Ｙ軸正方向を上）として説明する。
【００１５】
すなわち、このコネクタの接続構造に係るコネクタは、図１に示すように、上下複数段状に複数の雄端子金具１２が挿通保持された雄コネクタ１０と、前記各雄端子金具１２に対応する複数の雌端子金具２２が収容保持された雌コネクタ２０と、で構成され、該両コネクタ１０，２０同士を突き合わせて嵌合接続することによって、前記各雄端子金具１２と前記各雌端子金具２２とが電気的に接続されるものである。
【００１６】
前記雄コネクタ１０は、図２、図３に示すように、それぞれ前端側が開口し後端側が端壁１４ａ，１５ａによって閉塞されたほぼ角筒状の第１接続部１４及び第２接続部１５を有する雄ハウジング１１と、図示外のプリント基板等に接続され、前記雄ハウジング１１の各端壁１４ａ，１５ａに上下複数段状（本実施形態では、例えば上３段、下３段の計６段で構成）に挿通配置された複数の雄端子金具１２と、を備える。
【００１７】
前記雄ハウジング１１は、合成樹脂材料により一体成形されてなるもので、前記各接続部１４，１５の端壁１４ａ，１５ａを構成するほぼ板状の基部１３と、該基部１３より前端側に突設される第１、第２接続部１４，１５と、によって主として構成され、前記各接続部１４，１５の端壁１４ａ，１５ａには、それぞれ前記各雄端子金具１２を挿通保持する複数の端子挿通孔１６が前後方向に沿って貫通形成されている。
【００１８】
また、前記第１、第２接続部１４，１５の内部には、これら各接続部１４，１５の端壁１４ａ，１５ａの前端面より、雄コネクタ１０の搬送時や雌コネクタ２０との接続時等における前記各雄端子金具１２の保護に供する複数の端子保護リブ１７（本発明に係るリブに相当）が突設されている。この端子保護リブ１７は、一群の端子挿通孔１６の幅方向範囲に亘って設けられる幅広の突条であって、前記各端壁１４ａ，１５ａの上下方向ほぼ中間位置に、幅方向沿って並列配置されている。
【００１９】
そして、前記各端子保護リブ１７の前端部には、特に図３に示すように、幅方向に沿って連続する凹凸であって、後述するリテーナ部材３５の各保持片部３７を受容する複数のリテーナ受容部１８（本発明に係る凹部に相当）と、該各リテーナ受容部１８を設けることにより該各リテーナ受容部１８の両側に形成され、後述するリテーナ部材３５の各保持片部３７の保持（傾倒抑制）に供する保持用凸部１９（本発明に係る凸部に相当）と、が交互に形成されている。
【００２０】
前記保持用凸部１９は、横断面ほぼ凸字形状を呈し、その両側に、前記各保持片部３７と当接して該各保持片部３７の幅方向移動を規制する第１当接部１９ａ及び第２当接部１９ｂを備える。すなわち、前記第１当接部１９ａが前記各保持片部３７の一側部（右側部）に当接することによって該各保持片部３７の一方側（右側）への傾倒を規制する一方、前記第２当接部１９ｂが前記各保持片部３７の他側部（左側部）に当接することによって該各保持片部３７の他方側（左側）への傾倒を規制するようになっている。
【００２１】
一方、前記雌コネクタ２０は、図４、図５に示すように、前記各雌端子金具２２を収容する複数の端子収容孔２３が前後方向に沿って貫通形成された雌ハウジング２１と、図示外の電線の端末に圧着され、前記各端子収容孔２３に収容保持される複数の雌端子金具２２と、前記各端子収容孔２３内での前記各雌端子金具２２の保持に供する保持手段と、を備える。
【００２２】
前記雌ハウジング２１は、合成樹脂材料によりほぼボックス状に一体成形されてなるもので、ほぼ平坦状の底壁２１ａと、該底壁２１ａの両側縁から一体に立ち上がった１対の側壁２１ｂ，２１ｂと、該両側壁２１ｂ，２１ｂの上端縁に一体に設けられた上壁２１ｃと、を有し、前記底壁２１ａと前記上壁２１ｃとの間、前記両側壁２１ｂ，２１ｂの間にそれぞれ複数の横隔壁２１ｄ及び縦隔壁２１ｅが設けられることにより、上下方向及び左右方向にそれぞれ前記複数の端子収容孔２３が隔成されている。
【００２３】
前記各端子収容孔２３は、図６〜図１２に示すように、横断面ほぼ矩形状を呈し、一端側開口である後端開口からほぼ中間位置まで穿設され、雌端子金具２２の後端側（後述の電線接続部２９）の収容に供する第１収容部２３ａと、該第１収容部２３ａの前端側から前端開口まで上下拡幅状に穿設され、雌端子金具２２の前端側（後述の端子接続部３０）の収容に供する第２収容部２３ｂと、から主として構成されている。
【００２４】
また、前記各端子収容孔２３の一側壁（図６中の左側壁）には、図８〜図１０に示すように、雌端子金具２２の後述する係止突起３３と係合することにより雌端子金具２２の挿入をガイドする横断面ほぼ矩形状のガイド溝２４が、端子収容孔２３の後端より第２収容部２３ｂの途中位置まで雌端子金具２２の挿入方向に沿って切欠形成されている。
【００２５】
また、前記雌ハウジング２１の底壁２１ａには、図９〜図１２に示すように、後述するリテーナ部材３５の接続基部３６を受容する溝状の基部受容部２５が左右方向に沿って凹設されると共に、該基部受容部２５内には、後述するリテーナ部材３５の各保持片部３７の挿入に供する横断面ほぼ矩形状の複数のリテーナ挿入孔２６が、雌ハウジング２１の上壁まで前記各縦隔壁２１ｅに沿って貫通形成されている。
【００２６】
さらに、前記各縦隔壁２１ｅには、図７、図８に示すように、幅方向一方側（図６中の右側）に、前記各端子収容孔２３（前記ガイド溝２４）と前記各リテーナ挿入孔２６とを連通する第１連通部２７ａが開口形成されると共に、幅方向他方側に、前記各端子収容孔２３と前記各リテーナ挿入孔２６とを連通する第２連通部２７ｂが開口形成されている。すなわち、前記各端子収容孔２３の一方側が前記第１連通部２７ａを通じて前記各リテーナ挿入孔２６と連通可能に構成されると共に、前記各端子収容孔２３の他方側が前記第２連通部２７ｂを通じて前記各リテーナ挿入孔２６と連通可能に構成されている。
【００２７】
前記第１連通部２７ａは、図８〜図１０に示すように、ガイド溝２４の幅方向両端に跨るほぼ矩形窓状に形成されたもので、前記各雌端子金具２２が正規に挿入された状態で後述する係止突起３３の後端側へと臨むように開口形成されていて、該第１連通部２７ａを通じて後述するリテーナ部材３５の各保持片部３７（後述の係止凸部３７ｂ）を後述する係止突起３３の後端側に臨ませることが可能となっている。
【００２８】
前記第２連通部２７ｂは、図８、図１１、図１２に示すように、前記各端子収容孔２３の上下方向に亘ってほぼ帯状に形成されたもので、前記各雌端子金具２２が正規に挿入された状態で後述する端子接続部３０の左側部３０ｂに臨むように開口形成されていて、該第２連通部２７ｂを通じて後述する保持片部３７の幅方向他方側（後述する基部３７ａ）を後述する端子接続部３０の左側部３０ｂに当接させることが可能となっている。
【００２９】
また、前記雌ハウジング２１の横隔壁２１ｄには、図４、図９に示すように、前記雄コネクタ１０の各端子保護リブ１７に対応する箇所に、該各端子保護リブ１７を受容するリブ受容孔２８が、雌ハウジング２１の前端側から穿設されている。このリブ受容孔２８は、端子保護リブ１７の突出量よりも大きな深さ寸法に設定され、その内部において後述するリテーナ挿入孔２６に臨むように構成されている。
【００３０】
前記雌端子金具２２は、図９〜図１２に示すように、銅などの導電性材料からなる金属板をプレス成形により曲折等して形成されるもので、長手方向の一端側が、前記図示外の電線端末に圧着されることで該電線との電気接続に供する電線接続部２９として構成されると共に、他端側が、ほぼ角筒状に形成されて相手側となる前記各雄端子金具１２との接続に供する端子接続部３０として構成されている。そして、前記端子接続部３０の内部には、底壁３０ｃの内側部に片持ち支持されることで撓み変形可能に構成された接続片３０ｅが設けられ、前記各雄端子金具１２が上壁３０ｄと前記接続片３０ｅとの間に挟持されることによって、これら両端子金具１２，２２が電気的に接続されるようになっている。
【００３１】
また、前記端子接続部３０の底壁３０ｃの後端側には、後述するランス３４の先端部３４ｂを受容可能に構成されたランス受容部３１が開口形成されていて、該ランス受容部３１によって、後述するような弾性復帰したランス３４の先端部３４ｂを受容することが可能となっている。そして、後述するランス３４の弾性復帰により該ランス３４の先端部３４ｂが前記ランス受容部３１の前端縁に設けられた係止部３２に係止することによって、前記図示外の電線に引っ張り力（外力）が作用したときの雌端子金具２２の後退移動が規制され、これによって、雌端子金具２２の第１次的な抜け止めが図られている。
【００３２】
さらに、前記端子接続部３０の右側部３０ａには、図６、図８に示すように、前記ガイド溝２４に係合すると共に、該係合に伴って後述するリテーナ部材３５と係止可能に構成され、該係止構造をもって雌端子金具２２の係止保持に供する係止突起３３が突設されている。この係止突起３３は、平面視ほぼ矩形状となるように形成され、前記ガイド溝２４に係合した状態で後端面が後述するリテーナ部材３５の各保持片部３７（係止凸部３７ｂ）の前端面と当接することで、前記図示外の電線に引っ張り力（外力）が作用したときの雌端子金具２２の後退移動が規制され、これによって、雌端子金具２２の第２次的な抜け止めが図られている。
【００３３】
前記保持手段は、図６〜図１３に示すように、前記各端子収容孔２３の内部に撓み変形可能に一体形成され、雌端子金具２２の係止部３２に係止することにより前記雌端子金具２２の第１次的な係止保持に供するランス３４と、雌ハウジング２１の前記各リテーナ挿入孔２６に嵌挿され、前記第１連通部２７ａを通じて端子収容孔２３内に臨んだ一側部（後述の係止凸部３７ｂ）に係止することによって前記雌端子金具２２の第２次的な係止保持に供するリテーナ部材３５と、から構成される。
【００３４】
前記ランス３４は、前記第２収容部２３ｂの内端部における底壁２１ａ又は横隔壁２１ｄより前端側へ向けて斜め上方に切り起こすかたちで設けられ、前記底壁２１ａ又は横隔壁２１ｄに片持ち支持される基端部３４ａを支点として上下方向に撓み変形可能に構成されている。
【００３５】
前記リテーナ部材３５は、図１３に示すように、合成樹脂材料により一体成形されてなるもので、前記雌ハウジング２１の基部受容部２５に受容されるほぼ矩形板状の接続基部３６と、該接続基部３６の一側部より長手方向に沿って並列に整列するほぼ櫛刃状に立設され、前記雌端子金具２２の第２次的な係止保持に供する横断面ほぼ矩形状の複数の保持片部３７と、前記接続基部３６の長手方向ほぼ中間位置に立設され、雌ハウジング２１の底壁２１ａに穿設された図示外の係止孔に係入することによって該雌ハウジング２１への取付固定に供する係止爪３８と、を備える。
【００３６】
前記各保持片部３７は、雌ハウジング２１（前記各リテーナ挿入孔２６）の上下方向に亘って連続する長尺状の基部３７ａと、該基部３７ａの幅方向一方側に突設され、前記第１連通部２７ａを通じて前記各端子収容孔２３内に臨むことで前記雌端子金具２２を第２次的に係止保持する複数の係止凸部３７ｂと、から主として構成される。
【００３７】
そして、前記各係止凸部３７ｂは、前記基部３７ａの延出方向（長手方向）に沿って前記ガイド溝２４の上下方向間隔に対応する所定の間隔をもって突設されると共に、その幅寸法（上下方向幅）が前記ガイド溝２４の溝幅（上下方向幅）よりも若干大きく設定されている。すなわち、この係止凸部３７ｂは、保持片部３７がリテーナ挿入孔２６内に挿入された状態で第１連通部２７ａを通じて端子収容孔２３内へと臨み、ガイド溝２４を堰き止めるかたちで雌端子金具２２の係止突起３３と係止することで、該雌端子金具２２の後退移動を規制することが可能となっている。
【００３８】
以下、本実施形態に係る雄コネクタ１０と雌コネクタ２０の組み付け手順について、図２、図４、図８、図１４に基づいて説明する。
【００３９】
（雄コネクタの組立について）
まず、図２に示すように、前記雄ハウジング１１の各端子挿通孔１６に雄端子金具１２を圧入し、その後、該雄端子金具１２の後端側を下方へと曲折して、当該雄コネクタ１０の下側に配置される前記図示外のプリント基板に半田付けすることにより、当該雄コネクタ１０の組立が完了する。
【００４０】
（雌コネクタの組立について）
次に、雌コネクタ２０の組立にあたっては、まず、図４、図８に示すように、前記電線接続部２９が予め前記図示外の電線の端末に圧着された前記各雌端子金具２２を、端子接続部３０側から前記各端子収容孔２３の後端開口に挿入する。なお、この際、前記各雌端子金具２２の係止突起３３を各端子収容孔２３のガイド溝２４に係合させて、該ガイド溝２４のガイドに従って各雌端子金具２２を挿入することにより、該各雌端子金具２２をスムーズに挿入することができる。
【００４１】
続いて、前記各雌端子金具２２の進入の途中、該各雌端子金具２２の先端がランス３４の上端部へと当接したところで、該各雌端子金具２２をさらに押し込むことによって、端子接続部３０の底壁３０ｃがランス３４を下方へ押し退けるようにして撓み変形させ、そのまま当該撓み変形したランス３４の上端部に摺接しながら進入を続ける。
【００４２】
そして、前記各端子接続部３０の先端が正規の挿入位置（挿入完了位置）に到達したところで、前記撓み変形により発生した弾性力に基づいてランス３４が弾性復帰して、該ランス３４の先端部３４ｂがランス受容部３１に受容されると共に、雌端子金具２２の係止部３２がランス３４の先端部３４ｂに係止することによって、前記各雌端子金具２２が前記挿入完了位置のまま保持され、該各雌端子金具２２の後退移動が規制されることとなる。
【００４３】
その後、前記雌ハウジング２１の底壁２１ａ側から、前記各リテーナ挿入孔２６に前記各保持片部３７を挿入すると共に、前記基部受容部２５に接続基部３６を受容させて、雌ハウジング２１の前記図示外の係止孔に係止爪３８を係止させることによって、リテーナ部材３５が雌ハウジング２１に取付固定され、前記雌コネクタ２０の組立が完了する。
【００４４】
また、前記各リテーナ挿入孔２６内に各保持片部３７が挿入されることで、図８に示すように、該各保持片部３７の係止凸部３７ｂが、第１連通部２７ａを通じて端子収容孔２３内へとガイド溝２４を堰き止めるかたちで臨み、雌端子金具２２の係止突起３３と係止することによって、前記各雌端子金具２２が前記挿入完了位置のまま保持され、該各雌端子金具２２の後退移動が規制されることとなる。
【００４５】
同時に、前記各保持片部３７の基部３７ａが、第２連通部２７ｂを通じて隣接する端子収容孔２３内へと臨み、雌端子金具２２の端子接続部３０の右側部３０ｂに当接することによって、前記各雌端子金具２２が前記挿入完了状態の直立した姿勢のまま保持され、該各雌端子金具２２の幅方向移動（傾倒）が規制されることとなる。
【００４６】
（雄コネクタと雌コネクタの接続について）
次に、上述のようにして組み立てた雌コネクタ２０を、図１のように突き合わせて雄コネクタ１０の第１接続部１４へと嵌挿して、前記各雄端子金具１２と前記各雌端子金具２２とを接続する。すると、この嵌挿接続に伴って、雄コネクタ１０の前記各端子保護リブ１７が雌コネクタ２０の前記各リブ受容孔２８内に受容され、当該嵌挿接続が完了したところで、図１４に示すように、リテーナ部材３５の各保持片部３７が端子保護リブ１７の各リテーナ受容部１８に受容されると共に、各保持用凸部１９が各保持片部３７の間に介挿される。
【００４７】
すなわち、各保持用凸部１９のうち第１当接部１９ａが隣接する一方側（図１４中の左側）の各保持片部３７の係止凸部３７ｂに当接すると共に、第２当接部１９ｂが隣接する他方側（図１４中の右側）の各保持片部３７の基部３７ａに当接する。その結果、前記各保持片部３７につき、第１当接部１９ａによって前記他方側（右側）の傾倒が抑制されると共に、第２当接部１９ｂによって前記一方側（左側）の傾倒が抑制されることとなる。
【００４８】
このように、本実施形態に係るコネクタ構造によれば、雄コネクタ１０と雌コネクタ２０の嵌合接続時に、リテーナ部材３５の各保持片部３７を端子保護リブ１７のリテーナ受容部１８に受容させ、前記各保持片部３７の間に前記各保持用凸部１９を介挿することで、前記各保持片部３７の幅方向移動を規制することが可能となる。これにより、前記各保持片部３７の幅方向の撓み変形（傾倒）が抑制され、その結果、該保持片部３７による雌端子金具２２の係止保持力の向上が図れ、該保持片部３７による雌端子金具２２の良好な係止保持を実現することができる。
【００４９】
しかも、本実施形態では、前記各保持片部３７間への前記保持用凸部１９の介挿時に、第１当接部１９ａが各保持片部３７の係止凸部３７ｂに当接すると共に、第２当接部１９ｂが各保持片部３７の基部３７ａに当接する構成としたことによって、各保持片部３７の幅方向移動がより効果的に抑制され、該各保持片部３７による前記各雌端子金具２２の係止保持力のさらなる向上に供される。
【００５０】
本発明は、前記実施形態において例示した構成に限定されるものではなく、例えば雄コネクタ１０及び雌コネクタ２０の前記各ハウジング１１，２１や前記各端子金具１２，２２、またリテーナ部材３５の保持片部３７の具体的構成など、本発明の趣旨を逸脱しない範囲内で前記各コネクタ１０，２０の構成や仕様等に応じて自由に変更することができる。
【００５１】
特に、前記実施形態では、前記両コネクタ１０，２０の嵌挿接続時に前記雄コネクタ１０の端子保護リブ１７の保持用凸部１９が前記雌コネクタ２０のリテーナ部材３５の各保持片部３７の間に介挿される際、前記保持用凸部１９が前記各保持片部３７に当接する形態を例示して説明したが、本発明は、当該形態に限定されるものではなく、前記両者１９，３７の間に若干の隙間が介在するものであっても、前記各保持片部３７の傾倒を抑制して該各保持片部３７による前記係止保持力の向上に寄与し得るものであればよい。
【符号の説明】
【００５２】
１０…雄コネクタ
１１…雄ハウジング
１２…雄端子金具
１３…第１接続部（接続部）
１４…第２接続部（接続部）
１７…端子保護リブ（リブ）
１８…リテーナ受容部（凹部）
１９…保持用凸部（凸部）
２０…雌コネクタ
２１…雌ハウジング
２２…雌端子金具
２６…リテーナ挿入孔
２８…リブ受容孔
３３…係止突起（突起部）
３５…リテーナ部材（リテーナ）
３７…保持片部
【図１】
0006491008.tif 000002
【図２】
0006491008.tif 000003
【図３】
0006491008.tif 000004
【図４】
0006491008.tif 000005
【図５】
0006491008.tif 000006
【図６】
0006491008.tif 000007
【図７】
0006491008.tif 000008
【図８】
0006491008.tif 000009
【図９】
0006491008.tif 000010
【図１０】
0006491008.tif 000011
【図１１】
0006491008.tif 000012
【図１２】
0006491008.tif 000013
【図１３】
0006491008.tif 000014
【図１４】
0006491008.tif 000015
【図１５】
0006491008.tif 000016